Podtech/llm-jp-corpus-v4-ja_patent huggingface dataset:
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
複数のインクによる印刷を行う印刷装置に対する色分解テーブルを作成する色処理装置であって、
前記印刷装置から出力されたパッチ画像を測色して得られる印刷色情報を入力する入力手段と、
予め用意された色分解テーブルをリファレンステーブルとして取得するリファレンステーブル取得手段と、
前記リファレンステーブルから、色空間を構成するインク値を抽出するインク値抽出手段と、
前記入力手段で得られた印刷色情報に基づいて、前記インク値に対応する印刷色情報を色予測により推定する色予測手段と、
該推定された印刷色情報が予め定められた目標色に近づくように、前記インク値を更新する最適化手段と、
該更新された前記インク値に基づいて、前記色分解テーブルを作成する色分解テーブル作成手段と、を有し、
前記色予測手段は、
前記印刷装置よりも少ないインク数である複数のプリンタモデルを想定し、該プリンタモデルを単位として前記色予測を行うことを特徴とする色処理装置。
【請求項２】
前記色予測手段は、前記インク値に応じて、前記プリンタモデルを選択するプリンタモデル選択手段を有し、さらに該プリンタモデルごとに、
前記インク値の周辺格子点を取得する、周辺格子点の取得手段と、
該取得された周辺格子点のうち、前記入力ステップで印刷色情報が得られていない周辺格子点について、印刷色情報を推定する格子点推定手段と、
前記周辺格子点の印刷色情報に基づいて、前記インク値に対応する印刷色情報を推定する印刷色情報推定手段と、
を有することを特徴とする請求項１に記載の色処理装置。
【請求項３】
前記インク値は前記色空間を構成する枠のインク値であり、
前記プリンタモデル選択手段は、前記枠のインク値が示す使用インクを全て使用するプリンタモデルの中で、最もインク数の少ないプリンタモデルを選択することを特徴とする請求項２に記載の色処理装置。
【請求項４】
前記インク値は前記色空間を構成する枠のインク値であり、
前記プリンタモデル選択手段は、前記枠に予め対応付けられたプリンタモデルを選択することを特徴とする請求項２に記載の色処理装置。
【請求項５】
前記色予測手段はさらに、前記印刷色情報を保持する保持手段を有し、該保持手段は、前記複数のプリンタモデルにおいて共有されることを特徴とする請求項１乃至４のいずれか１項に記載の色処理装置。
【請求項６】
前記印刷色情報は、分光反射率の情報であることを特徴とする請求項１乃至５のいずれか１項に記載の色処理装置。
【請求項７】
前記パッチ画像は、前記リファレンステーブル取得手段で取得されるリファレンステーブルに基づく優先順位にしたがって、予め定められた数のパッチが設定されることを特徴とする請求項１乃至６のいずれか１項に記載の色処理装置。
【請求項８】
前記色予測手段は、前記プリンタモデルを単位とした前記色予測を時並列に行うことを特徴とする請求項１乃至７のいずれか１項に記載の色処理装置。
【請求項９】
前記色予測手段は、前記プリンタモデルの使用インク数に応じた組み合わせを単位として、前記色予測を時並列に行うことを特徴とする請求項８に記載の色処理装置。
【請求項１０】
複数のインクによる印刷を行う印刷装置に対する色分解テーブルを作成する色処理方法であって、
前記印刷装置から出力されたパッチ画像を測色して得られる印刷色情報を入力する入力ステップと、
予め用意された色分解テーブルをリファレンステーブルとして取得するリファレンステーブル取得ステップと、
前記リファレンステーブルから、色空間を構成するインク値を抽出するインク値抽出ステップと、
前記入力ステップで得られた印刷色情報に基づいて、前記インク値に対応する印刷色情報を色予測により推定する色予測ステップと、
該推定された印刷色情報が予め定められた目標色に近づくように、前記インク値を更新する最適化ステップと、
該更新された前記インク値に基づいて、前記色分解テーブルを作成する色分解テーブル作成ステップと、を有し、
前記色予測ステップにおいては、
前記印刷装置よりも少ないインク数である複数のプリンタモデルを想定し、該プリンタモデルを単位として前記色予測を行うことを特徴とする色処理方法。
【請求項１１】
コンピュータが読み込み実行することで、該コンピュータを請求項１乃至９のいずれか１項に記載の色処理装置の各手段として機能させることを特徴とするコンピュータプログラム。
【請求項１２】
請求項１１に記載のコンピュータプログラムを記録したことを特徴とするコンピュータ読取可能な記録媒体。
【手続補正２】
【補正対象書類名】明細書
【補正対象項目名】０００６
【補正方法】変更
【補正の内容】
【０００６】
すなわち、複数のインクによる印刷を行う印刷装置に対する色分解テーブルを作成する色処理装置であって、前記印刷装置から出力されたパッチ画像を測色して得られる印刷色情報を入力する入力手段と、予め用意された色分解テーブルをリファレンステーブルとして取得するリファレンステーブル取得手段と、前記リファレンステーブルから、色空間を構成するインク値を抽出するインク値抽出手段と、前記入力手段で得られた印刷色情報に基づいて、前記インク値に対応する印刷色情報を色予測により推定する色予測手段と、該推定された印刷色情報が予め定められた目標色に近づくように、前記インク値を更新する最適化手段と、該更新された前記インク値に基づいて、前記色分解テーブルを作成する色分解テーブル作成手段と、を有し、前記色予測手段は、前記印刷装置よりも少ないインク数である複数のプリンタモデルを想定し、該プリンタモデルを単位として前記色予測を行うことを特徴とする。
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
画像データを複数の色材ごとのデータに分解するための色分解テーブルを作成する際に用いるメディアの色再現特性情報を作成する色処理方法であって、
前記複数の色材に対応する色空間を格子状に分割した格子点を取得する格子点の取得ステップと、
前記格子点のパッチを前記メディア上に印刷して得られる測色値を入力する入力ステップと、を有し、
前記格子点の取得ステップにおいては、
前記メディアに対する色材ごとの単色階調特性を取得する単色階調特性の取得ステップと、
前記単色階調特性における変曲点を検出する変曲点の検出ステップと、
前記変曲点に前記格子点のひとつを配置する格子点配置ステップと、
を有することを特徴とする色処理方法。
【請求項２】
前記メディアに対する総色材量の制限情報を取得する制限情報の取得ステップと、
総色材量が前記制限情報で示される制限内である格子点についてパッチを生成するパッチ生成ステップと、
前記入力ステップにおいて入力された測色値に基づいて総色材量が前記制限情報で示される制限よりも大きい格子点の測色値を推定する推定ステップと
をさらに有することを特徴とする請求項１に記載の色処理方法。
【請求項３】
前記格子点の取得ステップにおいてはさらに、
前記格子点配置ステップにおいて前記変曲点に配置された格子点を基準として、その他の格子点を均等に配置する他の格子点配置ステップ
を有することを特徴とする請求項１または２に記載の色処理方法。
【請求項４】
さらに、パッチ数の制限情報を取得するパッチ数制限の取得ステップと、
前記パッチ数の制限情報に基づいて、前記パッチ生成ステップにおいて生成されたパッチを削減する削減ステップと、
を有することを特徴とする請求項２に記載の色処理方法。
【請求項５】
前記削減ステップにおいては、総色材量の多い格子点に対応するパッチから優先的に削除することを特徴とする請求項４に記載の色処理方法。
【請求項６】
さらに、第１のメディアに対する第１の色分解テーブルを取得する第１の色分解テーブルの取得ステップと、
第２のメディアに対する総色材量の制限情報を取得するステップと、
前記第１の色分解テーブルおよび前記第２のメディアの制限情報に基づいて、前記第２のメディアに対する第２の色分解テーブルを生成する第２の色分解テーブルの生成ステップと、
前記第１のメディアに対する前記色再現特性情報と、前記第２のメディアに対する前記色再現特性情報を取得する色再現特性の取得ステップと、
前記第２の色分解テーブルを、前記第１および第２のメディアに対する前記色再現特性情報に基づく色予測により補正する補正ステップと、
を有することを特徴とする請求項１乃至５のいずれか１項に記載の色処理方法。
【請求項７】
前記第１の色分解テーブルは、予め手動により作成されていることを特徴とする請求項６に記載の色処理方法。
【請求項８】
請求項６または７に記載の色処理方法によって作成された前記第２の色分解テーブルを用いて、前記第２のメディアに対する複数色の色材による画像形成を行うことを特徴とする画像形成装置。
【請求項９】
コンピュータが読み込み実行することで、該コンピュータを請求項１乃至７のいずれか１項に記載の色処理方法を実行するように制御することを特徴とするコンピュータ可読のプログラム。
【請求項１０】
請求項９に記載のプログラムを記録したことを特徴とするコンピュータ可読の記録媒体。
【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
読み取り位置において原稿又は基準部材のいずれかを読み取る読み取り手段と、
前記読み取り位置に向けて光を照射する複数の発光素子が複数のブロックを形成するように配置された第１のアレイ光源と、
前記読み取り位置を挟むように前記第１のアレイ光源に対向して設けられた第２のアレイ光源であって、該第２のアレイ光源に備えられた複数の発光素子が前記第１のアレイ光源における複数のブロックに対してそれぞれ互い違いとなるように複数のブロックを形成している、第２のアレイ光源と、
前記読み取り手段による前記基準部材の読み取り結果に応じて前記第１のアレイ光源に形成された１つのブロックの光量を調整し、次に前記第１のアレイ光源に形成された該１つのブロックの光量が調整された後に前記読み取り手段により前記基準部材を読み取ることで得られた読み取り結果に応じて該１つのブロックに対向して前記第２のアレイ光源に形成されている１つのブロックの光量を調整し、さらに前記第２のアレイ光源に形成された該１つのブロックの光量が調整された後に前記読み取り手段により前記基準部材を読み取ることで得られた読み取り結果に応じて該１つのブロックに対向して前記第１のアレイ光源に形成されている他の１つのブロックの光量を調整するといった光量調整を、未調整のブロックが無くなるまで、繰り返し実行する光量調整手段と
を含むことを特徴とする画像読み取り装置。
【請求項２】
各ブロックの配置は、全体として千鳥格子状の配置をなしていることを特徴とする請求項１に記載の画像読み取り装置。
【請求項３】
前記第１のアレイ光源と前記第２のアレイ光源とは同一の部品であり、取り付け方向が相互に反対となるように取り付けられていることを特徴とする請求項１に記載の画像読み取り装置。
【請求項４】
前記第１のアレイ光源と前記第２のアレイ光源はそれぞれ一端から他端にかけて第１ブロックから第Ｎブロックが配置されており（Ｎは２以上の自然数）、
前記読み取り手段はラインセンサであり、
前記光量調整手段は、前記読み取り手段の（２Ｎ−１）個の測定点において受光した反射光に応じて前記第１及び第２のアレイ光源の光量調整を実行するものであって、前記第１のアレイ光源と前記第２のアレイ光源においてそれぞれ一端に位置する前記第１ブロックから前記他端に位置する第Ｎブロックまで順番に光量調整することを特徴とする請求項１に記載の画像読み取り装置。
【請求項５】
前記第２ないし第（２Ｎ−１）個までの各測定点における光量調整対象となるブロックは、各測定点に対して最短距離に位置するいずれか１つのブロックであることを特徴とする請求項４に記載の画像読み取り装置。
【請求項６】
読み取り位置において原稿又は基準部材のいずれかを読み取る読み取り手段と、
前記読み取り位置に向けて光を照射する複数の発光素子が複数のブロックを形成するように配置された第１のアレイ光源と、
前記読み取り位置を挟むように前記第１のアレイ光源に対向して設けられた第２のアレイ光源であって、該第２のアレイ光源に備えられた複数の発光素子が前記第１のアレイ光源における複数のブロックに対してそれぞれ互い違いとなるように複数のブロックを形成している、第２のアレイ光源と
を含む画像読み取り装置の光量調整方法であって、
前記読み取り手段による前記基準部材の読み取り結果に応じて前記第１のアレイ光源に形成された１つのブロックの光量を調整し、次に前記第１のアレイ光源に形成された該１つのブロックの光量が調整された後に前記読み取り手段により前記基準部材を読み取ることで得られた読み取り結果に応じて該１つのブロックに対向して前記第２のアレイ光源に形成されている１つのブロックの光量を調整し、さらに前記第２のアレイ光源に形成された該１つのブロックの光量が調整された後に前記読み取り手段により前記基準部材を読み取ることで得られた読み取り結果に応じて該１つのブロックに対向して前記第１のアレイ光源に形成されている他の１つのブロックの光量を調整するといった光量調整を、未調整のブロックが無くなるまで、繰り返し実行することを特徴とする光量調整方法。
【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
撮像素子により得られた画像信号のフリッカ成分を補正するフリッカ補正装置であって、
１画面分の前記画像信号を垂直方向及び水平方向に分割することにより、前記１画面分の前記画像信号に複数のフリッカ検出枠を設定する設定手段と、
前記複数のフリッカ検出枠のうち、含まれる画像信号の輝度及び色に関する値が予め定めた範囲内であるフリッカ検出枠を抽出する抽出手段と、
前記抽出手段によって抽出されたフリッカ検出枠の中から、フリッカ成分の検出に用いるフリッカ検出枠を選択する選択手段と、
前記選択手段が選択したフリッカ検出枠内の画像信号の輝度情報を用いてフリッカ成分を検出する検出手段と、
前記検出手段が検出したフリッカ成分から、当該フリッカ成分を補正するための補正値を生成する生成手段と、
前記生成手段が生成した補正値を前記１画面分の画像信号に対して適用し、前記１画面分の前記画像信号のフリッカ成分の補正を行う補正手段とを有することを特徴とするフリッカ補正装置。
【請求項２】
前記予め定めた範囲が、前記１画面分の前記画像信号より前に前記撮像素子により得られた画像信号に基づいて求められた、適正露出時の白色に対応する輝度及び色に関する値を含む範囲に設定されることを特徴とする請求項１記載のフリッカ補正装置。
【請求項３】
前記抽出手段によって抽出されたフリッカ検出枠の各々について、フリッカ検出に関する信頼度を算出する算出手段をさらに有し、
前記選択手段が、前記算出手段が算出した信頼度が所定の信頼度を満たすフリッカ検出枠を選択することを特徴とする請求項１又は請求項２記載のフリッカ補正装置。
【請求項４】
前記選択手段が、前記抽出手段によって抽出されたフリッカ検出枠から、前記垂直方向のフリッカ検出枠の位置ごとに、前記信頼度の最も高いフリッカ検出枠を選択することを特徴とする請求項３記載のフリッカ補正装置。
【請求項５】
前記検出手段が、前記垂直方向のフリッカ検出枠の同一の位置に、前記選択手段が選択したフリッカ検出枠が複数ある場合、これら複数のフリッカ検出枠の輝度情報から求めた輝度情報を用いてフリッカ成分を検出することを特徴とする請求項１乃至請求項３のいずれか１項に記載のフリッカ補正装置。
【請求項６】
前記検出手段が、前記垂直方向のフリッカ検出枠の位置のうち、前記選択手段が選択したフリッカ検出枠が存在しない位置についてのフリッカ成分を検出するための輝度情報として、前記選択手段が選択したフリッカ検出枠が存在しない位置の上下の位置において前記選択手段が選択したフリッカ検出枠の輝度情報から求めた輝度情報を用いてフリッカ成分を検出することを特徴とする請求項１乃至請求項３のいずれか１項に記載のフリッカ補正装置。
【請求項７】
前記検出手段が、前記選択手段が選択したフリッカ検出枠に含まれる画像信号のうち、前記輝度及び色に関する値が前記予め定めた範囲内の画像信号の輝度情報を用いてフリッカ成分を検出することを特徴とする請求項１乃至請求項４のいずれか１項に記載のフリッカ補正装置。
【請求項８】
撮像素子と、
前記撮像素子に被写体像を結像するレンズと、
前記撮像素子から画像信号を読み出し、読み出した画像信号に信号処理を行う信号処理手段と、
前記信号処理手段の出力する画像信号のフリッカ成分を補正する請求項１乃至請求項７のいずれか１項に記載のフリッカ補正装置とを有することを特徴とする撮像装置。
【請求項９】
撮像素子により得られた画像信号のフリッカ成分を補正するフリッカ補正方法であって、
設定手段が、１画面分の前記画像信号を垂直方向及び水平方向に分割することにより、前記１画面分の前記画像信号に複数のフリッカ検出枠を設定する設定ステップと、
抽出手段が、前記複数のフリッカ検出枠のうち、含まれる画像信号の輝度及び色に関する値が予め定めた範囲内であるフリッカ検出枠を抽出する抽出ステップと、
前記抽出ステップによって抽出されたフリッカ検出枠の中から、フリッカ成分の検出に用いるフリッカ検出枠を選択手段が選択する選択ステップと、
前記選択ステップにおいて選択されたフリッカ検出枠内の画像信号の輝度情報を用いてフリッカ成分を検出する検出ステップと、
前記検出ステップにおいて検出されたフリッカ成分から、当該フリッカ成分を補正するための補正値を生成手段が生成する生成ステップと、
前記生成ステップにおいて生成された補正値を補正手段が前記１画面分の画像信号に対して適用し、前記１画面分の前記画像信号のフリッカ成分の補正を行う補正ステップとを有することを特徴とするフリッカ補正方法。
【手続補正２】
【補正対象書類名】明細書
【補正対象項目名】０００９
【補正方法】変更
【補正の内容】
【０００９】
上述の目的は、撮像素子により得られた画像信号のフリッカ成分を補正するフリッカ補正装置であって、１画面分の画像信号を垂直方向及び水平方向に分割することにより、１画面分の画像信号に複数のフリッカ検出枠を設定する設定手段と、複数のフリッカ検出枠のうち、含まれる画像信号の輝度及び色に関する値が予め定めた範囲内であるフリッカ検出枠を抽出する抽出手段と、抽出手段によって抽出されたフリッカ検出枠の中から、フリッカ成分の検出に用いるフリッカ検出枠を選択する選択手段と、選択手段が選択したフリッカ検出枠内の画像信号の輝度情報を用いてフリッカ成分を検出する検出手段と、検出手段が検出したフリッカ成分から、当フリッカ成分を補正するための補正値を生成する生成手段と、生成手段が生成した補正値を１画面分の画像信号に対して適用し、１画面分の画像信号のフリッカ成分の補正を行う補正手段とを有することを特徴とするフリッカ補正装置によって達成される。
【手続補正３】
【補正対象書類名】明細書
【補正対象項目名】００１１
【補正方法】変更
【補正の内容】
【００１１】
また、上述の目的は、撮像素子により得られた画像信号のフリッカ成分を補正するフリッカ補正方法であって、設定手段が、１画面分の画像信号を垂直方向及び水平方向に分割することにより、１画面分の画像信号に複数のフリッカ検出枠を設定する設定ステップと、抽出手段が、複数のフリッカ検出枠のうち、含まれる画像信号の輝度及び色に関する値が予め定めた範囲内であるフリッカ検出枠を抽出する抽出ステップと、抽出ステップによって抽出されたフリッカ検出枠の中から、フリッカ成分の検出に用いるフリッカ検出枠を選択手段が選択する選択ステップと、選択ステップにおいて選択されたフリッカ検出枠内の画像信号の輝度情報を用いてフリッカ成分を検出する検出ステップと、検出ステップにおいて検出されたフリッカ成分から、当フリッカ成分を補正するための補正値を生成手段が生成する生成ステップと、生成ステップにおいて生成された補正値を補正手段が１画面分の画像信号に対して適用し、１画面分の画像信号のフリッカ成分の補正を行う補正ステップとを有することを特徴とするフリッカ補正方法によっても達成される。
【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
第１の色域を有する映像信号を、前記第１の色域よりも広い第２の色域を有する映像信号に変換する映像信号処理装置であって、
前記第１の色域の色空間上における周辺部分の予め定められた領域に属する色情報を有する映像信号に対して彩度伸張を行い、前記第２の色域への色域の拡大処理を行う信号処理手段と、
前記信号処理手段により色域の拡大処理が行われた映像信号にのみノイズ除去処理を行う、あるいは、前記信号処理手段により色域の拡大処理が行われた映像信号に対して色域の拡大処理が行われなかった映像信号よりも強い強度のノイズ除去処理を行うノイズ除去手段と、
を備えることを特徴とする映像信号処理装置。
【請求項２】
第１の色域を有する映像信号を、前記第１の色域よりも広い第２の色域を有する映像信号に変換する映像信号処理装置であって、
前記第１の色域の色空間に属する色情報を有する映像信号に対して彩度伸張を行い、前記第２の色域への色域の拡大処理を行う信号処理手段と、
前記信号処理手段による色域の拡大量を検出する検出手段と、
前記信号処理手段により色域の拡大処理が行なわれた映像信号に、前記検出手段により検出された色域の拡大量に応じた強度でノイズ除去処理を行うノイズ除去手段と、
を備えることを特徴とする映像信号処理装置。
【請求項３】
前記ノイズ除去手段は、前記信号処理手段による色域の拡大量に対する色信号のゲインを色信号のチャンネル毎に求め、前記色信号のゲインに応じて各色信号のノイズ除去処理の強度を変更することを特徴とする請求項２に記載の映像信号処理装置。
【請求項４】
前記ノイズ除去手段は、前記第１の色域内の全ての映像信号に対して一定量のノイズ除去処理を行い、前記信号処理手段により色域の拡大処理を行った映像信号については色域の拡大量に応じてノイズ除去処理の強度を強めることを特徴とする請求項１に記載の映像信号処理装置。
【請求項５】
前記ノイズ除去手段は、前記信号処理手段により色域の拡大処理を行った映像信号の輝度成分に対してもノイズ除去処理を行うことを特徴とする請求項１または２に記載の映像信号処理装置。
【請求項６】
前記ノイズ除去手段で行なわれるノイズ除去処理とは、時間方向の平滑化処理、又は空間方向の平滑化処理、又はそれらの組み合わせであることを特徴とする請求項１または２に記載の映像信号処理装置。
【請求項７】
前記ノイズ除去手段は、映像信号に時間的変化が無い場合、前記空間方向の平滑化処理のみを行うことを特徴とする請求項６に記載の映像信号処理装置。
【請求項８】
前記ノイズ除去手段で行なわれるノイズ除去処理とは、圧縮符号化による符号化ノイズ除去処理であることを特徴とする請求項１または２に記載の映像信号処理装置。
【請求項９】
前記符号化ノイズ除去処理とは、符号化によるブロックノイズを除去するデブロッキングフィルタ処理であることを特徴とする請求項８に記載の映像信号処理装置。
【請求項１０】
前記符号化ノイズ除去処理とは、符号化によるモスキートノイズを除去するモスキート除去フィルタ処理であることを特徴とする請求項８に記載の映像信号処理装置。
【請求項１１】
第１の色域を有する映像信号を、前記第１の色域よりも広い第２の色域を有する映像信号に変換する映像信号処理方法であって、
信号処理手段が、前記第１の色域の色空間上における周辺部分の予め定められた領域に属する色情報を有する映像信号に対して彩度伸張を行い、前記第２の色域への色域の拡大処理を行う信号処理工程と、
ノイズ除去手段が、前記信号処理工程により色域の拡大処理が行われた映像信号のみにノイズ除去処理を行う、あるいは、前記信号処理工程により色域の拡大処理が行われた映像信号に対して色域の拡大処理が行われなかった映像信号よりも強い強度のノイズ除去処理を行うノイズ除去工程と、
を備えることを特徴とする映像信号処理方法。
【請求項１２】
第１の色域を有する映像信号を、前記第１の色域よりも広い第２の色域を有する映像信号に変換する映像信号処理方法であって、
信号処理手段が、前記第１の色域の色空間に属する色情報を有する映像信号に対して彩度伸張を行い、前記第２の色域への色域の拡大処理を行う信号処理工程と、
検出手段が、前記信号処理工程における色域の拡大量を検出する検出工程と、
ノイズ除去手段が、前記信号処理工程において色域の拡大処理が行なわれた映像信号に、前記検出工程において検出された色域の拡大量に応じた強度でノイズ除去処理を行うノイズ除去工程と、
を備えることを特徴とする映像信号処理方法。
【手続補正２】
【補正対象書類名】明細書
【補正対象項目名】００１３
【補正方法】変更
【補正の内容】
【００１３】
また、本発明に係わる映像信号処理方法は、第１の色域を有する映像信号を、前記第１の色域よりも広い第２の色域を有する映像信号に変換する映像信号処理方法であって、信号処理手段が、前記第１の色域の色空間上における周辺部分の予め定められた領域に属する色情報を有する映像信号に対して彩度伸張を行い、前記第２の色域への色域の拡大処理を行う信号処理工程と、ノイズ除去手段が、前記信号処理工程により色域の拡大処理が行われた映像信号のみにノイズ除去処理を行う、あるいは、前記信号処理工程により色域の拡大処理が行われた映像信号に対して色域の拡大処理が行われなかった映像信号よりも強い強度のノイズ除去処理を行うノイズ除去工程と、を備えることを特徴とする。
また、本発明に係わる映像信号処理方法は、第１の色域を有する映像信号を、前記第１の色域よりも広い第２の色域を有する映像信号に変換する映像信号処理方法であって、信号処理手段が、前記第１の色域の色空間に属する色情報を有する映像信号に対して彩度伸張を行い、前記第２の色域への色域の拡大処理を行う信号処理工程と、検出手段が、前記信号処理工程における色域の拡大量を検出する検出工程と、ノイズ除去手段が、前記信号処理工程において色域の拡大処理が行なわれた映像信号に、前記検出工程において検出された色域の拡大量に応じた強度でノイズ除去処理を行うノイズ除去工程と、を備えることを特徴とする。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
バルブ撮影の開始に伴って、設定された時間ごとに画像データを出力する撮像部と、
上記撮像部から新たな画像データが出力されるたびに、当該バルブ撮影の開始以降に出力された画像との加算画像を生成する加算演算部と、
上記加算画像が生成されるたびにそれを表示する画像表示部と、
上記画像表示部の表示更新間隔が所定時間以上の場合に、上記画像表示部における画像表示の更新に連動して発音を行う発音部と、
を具備していることを特徴とする撮像装置。
【請求項２】
上記画像表示部は、上記加算画像の表示に重畳して上記バルブ撮影の開始からの経過時間を表示することを特徴とする請求項１に記載の撮像装置。
【請求項３】
バルブ撮影の開始に伴って、設定された時間ごとに画像データを出力し、上記画像データが新たに出力されるたびに、当該バルブ撮影の開始以降に出力された画像データとの加算画像を生成し、上記加算画像が生成されるたびにそれを表示すると共に、上記加算画像の表示更新が所定時間以上の場合に、上記加算画像の表示の更新に連動して発音することを特徴とする撮像装置の制御方法。
【手続補正２】
【補正対象書類名】明細書
【補正対象項目名】０００６
【補正方法】変更
【補正の内容】
【０００６】
上記目的を達成するため第１の発明に係わる撮像装置は、バルブ撮影の開始に伴って、設定された時間ごとに画像データを出力する撮像部と、上記撮像部から新たな画像データが出力されるたびに、当該バルブ撮影の開始以降に出力された画像との加算画像を生成する加算演算部と、上記加算画像が生成されるたびにそれを表示する画像表示部と、上記画像表示部の表示更新間隔が所定時間以上の場合に、上記画像表示部における画像表示の更新に連動して発音を行う発音部と、を具備する。
【手続補正３】
【補正対象書類名】明細書
【補正対象項目名】０００７
【補正方法】変更
【補正の内容】
【０００７】
第２の発明に係わる撮像装置は、上記第１の発明において、上記画像表示部は、上記加算画像の表示に重畳して上記バルブ撮影の開始からの経過時間を表示する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
第３の発明に係わる撮像装置の制御方法は、バルブ撮影の開始に伴って、設定された時間ごとに画像データを出力し、上記画像データが新たに出力されるたびに、当該バルブ撮影の開始以降に出力された画像データとの加算画像を生成し、上記加算画像が生成されるたびにそれを表示すると共に、上記加算画像の表示更新が所定時間以上の場合に、上記加算画像の表示の更新に連動して発音する。
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
肉厚の振動部と前記振動部の周囲に配された肉薄の周縁部とを有したＡＴカット水晶素板と、当該水晶素板の表裏面に配設された電極とより構成される水晶振動片であって、
前記水晶素板は、前記振動部が＋Ｙ´軸側、−Ｙ´軸側のいずれか一方または双方に凸設され、
前記振動部が＋Ｙ´軸側に凸設された場合には、前記振動部の平面視形状において、前記振動部の中心を基準にして＋Ｘ軸側かつ−Ｚ´軸側に位置する隅部に、＋Ｘ軸と−Ｚ´軸とに交わる線分を接線とする曲線部、または＋Ｘ軸と−Ｚ´軸とに交わる線分である直線部を設け、
前記振動部が−Ｙ´軸側に凸設された場合には、前記振動部の平面視形状において、前記振動部の中心を基準にして＋Ｘ軸側かつ＋Ｚ´軸側に位置する隅部に、＋Ｘ軸と＋Ｚ´軸とに交わる線分を接線とする曲線部、または＋Ｘ軸と＋Ｚ´軸とに交わる線分である直線部を設け、
前記振動部の平面視形状はそれぞれ、前記隅部を除く外縁に直線状の縁辺を備え、
前記電極は、前記振動部に配される励振電極と、前記周縁部に配される接続電極、及び前記励振電極と前記接続電極とを電気的に接続する引出し電極とから成り、前記引出し電極は前記隅部に設けた前記曲線部または前記直線部を通るように配設したことを特徴とする水晶振動片。
【請求項２】
請求項１に記載の水晶振動片であって、  
前記振動部の中心を基準にして、前記振動部における−Ｘ軸側と＋Ｘ軸側のそれぞれの端部に位置する前記縁辺は、当該振動部に生ずる屈曲振動の腹の位置に一致させて設けたことを特徴とする水晶振動片。
【請求項３】
請求項１または請求項２に記載の水晶振動片であって、
前記直線部は、Ｚ´軸に平行な直線を基準として反時計回りに２５°≦θ＜９０°の範囲内の方向に一致させて形成したことを特徴とする水晶振動片。
【請求項４】
請求項１乃至請求項３のいずれかに記載の水晶振動片であって、
前記引出し電極を前記振動部における直線状の縁辺の延長線よりも内側に配設した事を特徴とする水晶振動片。
【請求項５】
請求項１乃至請求項４のいずれかに記載の水晶振動片であって、
前記引出し電極の幅を前記直線部または前記曲線部の幅と一致させたことを特徴とする水晶振動片。
【請求項６】
水晶素板における−Ｘ軸側を自由端、+Ｘ軸側を固定端として定め、
請求項１乃至請求項５のいずれかに記載の水晶振動片をパッケージに収容したことを特徴とする水晶振動子。
【請求項７】
請求項６に記載の水晶振動子に対して発振回路を搭載したことを特徴とする水晶発振器。
【請求項８】
請求項１乃至請求項５のいずれかに記載の水晶振動片と、発振回路とを単一のパッケージに搭載したことを特徴とする水晶発振器。
【手続補正２】
【補正対象書類名】明細書
【補正対象項目名】０００７
【補正方法】変更
【補正の内容】
【０００７】
本発明は、上述の課題の少なくとも一部を解決するためになされたものであり、以下の形態又は適用例として実現することが可能である。
第１の形態の水晶振動片は、肉厚の振動部と前記振動部の周囲に配された肉薄の周縁部とを有したＡＴカット水晶素板と、当該水晶素板の表裏面に配設された電極とより構成される水晶振動片であって、前記水晶素板は、前記振動部が＋Ｙ´軸側、−Ｙ´軸側のいずれか一方または双方に凸設され、前記振動部が＋Ｙ´軸側に凸設された場合には、前記振動部の平面視形状において、前記振動部の中心を基準にして＋Ｘ軸側かつ−Ｚ´軸側に位置する隅部に、＋Ｘ軸と−Ｚ´軸とに交わる線分を接線とする曲線部、または＋Ｘ軸と−Ｚ´軸とに交わる線分である直線部を設け、前記振動部が−Ｙ´軸側に凸設された場合には、前記振動部の平面視形状において、前記振動部の中心を基準にして＋Ｘ軸側かつ＋Ｚ´軸側に位置する隅部に、＋Ｘ軸と＋Ｚ´軸とに交わる線分を接線とする曲線部、または＋Ｘ軸と＋Ｚ´軸とに交わる線分である直線部を設け、前記振動部の平面視形状はそれぞれ、前記隅部を除く外縁に直線状の縁辺を備え、前記電極は、前記振動部に配される励振電極と、前記周縁部に配される接続電極、及び前記励振電極と前記接続電極とを電気的に接続する引出し電極とから成り、前記引出し電極は前記隅部に設けた前記曲線部または前記直線部を通るように配設したことを特徴とする水晶振動片。
上記のような特徴を有する水晶振動片であれば振動部に対する振動エネルギーの閉じ込め効果を維持しつつ、引出し電極の断線も防ぐことができる。よって、電気的特性の悪化を防止すると共に、歩留りの向上を図ることができる。
第２の形態の水晶振動片は、第１の形態に記載の水晶振動片であって、前記振動部の中心を基準にして、前記振動部における−Ｘ軸側と＋Ｘ軸側のそれぞれの端部に位置する前記縁辺は、当該振動部に生ずる屈曲振動の腹の位置に一致させて設けたことを特徴とする水晶振動片。
上記のような特徴を有する水晶振動片であれば、主振動である厚み滑り振動に重畳する屈曲振動を抑圧することができる。
第３の形態の水晶振動片は、第１または第２の形態に記載の水晶振動片であって、前記直線部は、Ｚ´軸に平行な直線を基準として反時計回りに２５°≦θ＜９０°の範囲内の方向に一致させて形成したことを特徴とする水晶振動片。
上記のような特徴を有する水晶振動片であれば、引出し電極を配設する直線部を順テーパ面のみで構成することができる。このため、引出し電極の膜厚が極端に薄くなる箇所が存在せず、断線の危険性が低減される。
第４の形態の水晶振動片は、第１乃至第３の形態のいずれかに記載の水晶振動片であって、前記引出し電極を前記振動部における直線状の縁辺の延長線よりも内側に配設した事を特徴とする水晶振動片。
上記のような特徴を有する水晶振動片であれば、水晶素板の幅方向の寸法の拡大を抑制することができる。よって、水晶振動片を小型化することができる。
第５の形態の水晶振動片は、第１乃至第４の形態のいずれかに記載の水晶振動片であって、前記引出し電極の幅を前記直線部または前記曲線部の幅と一致させたことを特徴とする水晶振動片。
上記のような特徴を有する水晶振動片であれば、断線の危険性を低減できると共に、引出し電極の抵抗値を下げることができる。
また、第１の形態に係る水晶振動子は、水晶素板における−Ｘ軸側を自由端、+Ｘ軸側を固定端として定め、第１乃至第５の形態のいずれかに記載の水晶振動片をパッケージに収容したことを特徴とする水晶振動子。
上記のような特徴を有する水晶振動子は、断線の発生を抑える事ができるため、信頼性が高く、歩留りの良いものとすることができる。また、水晶振動片をウエットエッチングにより構成する場合には、自由端側のエッチング喰われを抑制することができる。
また、第１の形態に係る水晶発振器は、第１の形態として記載した水晶振動子に対して発振回路を搭載したことを特徴とする水晶発振器。
上記のような特徴を有する水晶発振器は、上記水晶振動子と同様に、信頼性が高く、歩留りの良いものとすることができる。
また、第２の形態に係る水晶発振器は、第１乃至第５の形態として記載した水晶振動片と、発振回路とを単一のパッケージに搭載したことを特徴とする水晶発振器。
このような特徴を有する水晶発振器であっても、信頼性が高く、歩留りの良いものとすることができる。
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
蓄積の同時性を持たない撮像素子と、設定されたフレームレートで前記撮像素子から信号を読み出して画像を撮影する撮像手段を備え、前記撮像手段が撮影した画像を表示装置に逐次表示させるライブビュー機能を有する撮像装置であって、
前記撮影した画像からフリッカーの有無を検知する検知手段と、
前記撮影した画像のコントラストに基づいて焦点検出を行う焦点検出手段と、
前記焦点検出手段により焦点検出を行う場合、前記検知手段によりフリッカーが検知されていれば、前記フレームレートを前記検知されたフリッカーの周波数と同期する値に設定することによって、前記撮像素子の電荷蓄積の開始タイミングまたは終了タイミングのいずれか一方を少なくとも固定する制御手段とを有することを特徴とする撮像装置。
【請求項２】
前記制御手段は、前記フレームレートを前記検知されたフリッカーの周波数と同期する値に設定するとともに、絞り値を予め定められた値に固定し、前記撮像素子の電荷蓄積の時間を可変して画像の輝度制御を行う輝度制御パターンを設定することを特徴とする請求項１に記載の撮像装置。
【請求項３】
前記制御手段は、前記検知手段がフリッカーの有無を検知する間、前記フレームレートを商用電源周波数と非同期な値に設定することを特徴とする請求項１または２に記載の撮像装置。
【請求項４】
前記制御手段は、前記検知手段がフリッカーの有無を検知する間、前記フレームレートを、想定されるフリッカー周期と半周期ずれる値に設定することを特徴とする請求項１または２に記載の撮像装置。
【請求項５】
前記制御手段は、前記検知手段によりフリッカーが検知されている場合、前記焦点検出手段により焦点検出を行わない期間においては、前記フレームレートを予め定められたライブビュー用の値に設定するとともに、前記撮像素子の電荷蓄積時間を前記フリッカーの影響を除去できる時間に固定することを優先して前記画像の輝度制御を行う輝度制御パターンを設定することを特徴とする請求項１乃至請求項４のいずれか１項に記載の撮像装置。
【請求項６】
蓄積の同時性を持たない撮像素子と、設定されたフレームレートで前記撮像素子から信号を読み出して画像を撮影する撮像手段を備え、前記撮像手段が撮影した画像を表示装置に逐次表示させるライブビュー機能を有する撮像装置の制御方法であって、
検知手段が、前記撮影した画像からフリッカーの有無を検知する検知ステップと、
焦点検出手段が、前記撮影した画像のコントラストに基づいて焦点検出を行う焦点検出ステップと、
前記焦点検出を行う場合、前記検知ステップにおいてフリッカーが検知されていれば、前記フレームレートを前記検知されたフリッカーの周波数と同期する値に制御手段が設定することによって、前記撮像素子の電荷蓄積の開始タイミングまたは終了タイミングのいずれか一方を少なくとも固定する制御ステップとを有することを特徴とする撮像装置の制御方法。
【手続補正２】
【補正対象書類名】明細書
【補正対象項目名】００１４
【補正方法】変更
【補正の内容】
【００１４】
上述の目的は、蓄積の同時性を持たない撮像素子と、設定されたフレームレートで撮像素子から信号を読み出して画像を撮影する撮像手段を備え、撮像手段が撮影した画像を表示装置に逐次表示させるライブビュー機能を有する撮像装置であって、撮影した画像からフリッカーの有無を検知する検知手段と、撮影した画像のコントラストに基づいて焦点検出を行う焦点検出手段と、焦点検出手段により焦点検出を行う場合、検知手段によりフリッカーが検知されていれば、フレームレートを検知されたフリッカーの周波数と同期する値に設定することによって、撮像素子の電荷蓄積の開始タイミングまたは終了タイミングのいずれか一方を少なくとも固定する制御手段とを有することを特徴とする撮像装置によって達成される。
【手続補正３】
【補正対象書類名】明細書
【補正対象項目名】００１５
【補正方法】変更
【補正の内容】
【００１５】
また、上述の目的は、蓄積の同時性を持たない撮像素子と、設定されたフレームレートで撮像素子から信号を読み出して画像を撮影する撮像手段を備え、撮像手段が撮影した画像を表示装置に逐次表示させるライブビュー機能を有する撮像装置の制御方法であって、検知手段が、撮影した画像からフリッカーの有無を検知する検知ステップと、焦点検出手段が、撮影した画像のコントラストに基づいて焦点検出を行う焦点検出ステップと、焦点検出を行う場合、検知ステップにおいてフリッカーが検知されていれば、フレームレートを検知されたフリッカーの周波数と同期する値に制御手段が設定することによって、撮像素子の電荷蓄積の開始タイミングまたは終了タイミングのいずれか一方を少なくとも固定する制御ステップとを有することを特徴とする撮像装置の制御方法によっても達成される。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
画像形成装置であって、
光ビームを主走査方向に走査しながら像担持体上を露光する露光手段と、
前記像担持体上における前記光ビームの露光位置の副走査方向における誤差を取得する取得手段と、
取得された前記副走査方向における誤差を緩和するために、入力画像においてラインを形成している複数の画素のうち、前記誤差を緩和するために必要となる１つ以上の画素の副走査方向における座標を変換する変換手段と、
前記座標の変換により出力画像に生じる副走査方向の段差を緩和するために、前記座標を変換された画素の周辺に位置する画素にスムージング処理を実行するスムージング手段と、
前記出力画像について指定された解像度が所定解像度未満であれば前記スムージング手段を動作させ、前記指定された解像度が前記所定解像度未満でなければ前記スムージング手段を動作させないよう制御する制御手段と
を含むことを特徴とする画像形成装置。
【請求項２】
前記出力画像について指定された解像度を特定する特定手段をさらに備え、
前記制御手段は、
特定された前記解像度が第１の解像度であれば前記スムージング手段を動作させ、前記特定された解像度が前記第１の解像度よりも高い第２の解像度であれば前記スムージング手段を動作させないよう制御する
ことを特徴とする請求項１に記載の画像形成装置。
【請求項３】
前記第２の解像度は、前記スムージング処理を施さなくても前記段差が人間の目の視認限界以下となる解像度であることを特徴とする請求項２に記載の画像形成装置。
【請求項４】
前記所定解像度は、前記スムージング処理により得られる段差の緩和がもたらす出力画像への利益と、前記スムージング処理による細線の肥大化がもたらす出力画像への不利益との境界となる解像度であることを特徴とする請求項１に記載の画像形成装置。
【請求項５】
前記スムージング処理は、ハーフトーン処理であることを特徴とする請求項１乃至４のいずれか１項に記載の画像形成装置。
【請求項６】
前記副走査方向における誤差は、前記光ビームが通過するレンズ及び前記光ビームを反射するミラーに起因し、２次関数で近似可能な誤差成分であることを特徴とする請求項１乃至５のいずれか１項に記載の画像形成装置。
【請求項７】
前記取得手段は、各主走査位置ごとの前記誤差を記憶した記憶手段であることを特徴とする請求項１乃至６のいずれか１項に記載の画像形成装置。
【請求項８】
前記取得手段は、
前記光ビームを受光する受光手段と、
受光された前記光ビームの副走査位置と基準となる基準副走査位置との差を誤差として算出する算出手段と、
を含むことを特徴とする請求項１乃至６のいずれか１項に記載の画像形成装置。
【請求項９】
光ビームを主走査方向に走査しながら像担持体上を露光することで画像を形成する画像形成装置の制御方法であって、
前記像担持体上における前記光ビームの露光位置の副走査方向における誤差を取得する取得工程と、
取得された前記副走査方向における誤差を緩和するために、入力画像においてラインを形成している複数の画素のうち、前記誤差を緩和するために必要となる１つ以上の画素の副走査方向における座標を変換する変換工程と、
前記座標の変換により出力画像に生じる副走査方向の段差を緩和するために、前記座標を変換された画素の周辺に位置する画素にスムージング処理を実行するスムージング工程と、
前記出力画像について指定された解像度が所定解像度未満であれば前記スムージング工程を実行し、前記指定された解像度が前記所定解像度未満でなければ前記スムージング工程を実行させないよう制御する制御工程と
を含むことを特徴とする画像形成装置の制御方法。
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
被写体像から画像を撮像するための第１の処理を行う撮像装置であって、
前記撮像装置によって、前記第１の処理が行われる場合に、前記撮像装置に着脱可能な電池から前記撮像装置に供給される電流を検出するように前記電池を制御する制御手段と、
前記電池によって検出された前記電池から前記撮像装置に供給される電流を示す電流データを前記電池から取得する電流取得手段と、
前記電池の残量を示す残量データを取得する残量取得手段と、
前記電流取得手段によって取得された電流データと、前記撮像装置によって、撮像された画像の枚数を示す枚数データと、前記残量取得手段によって取得された残量データとに基づいて、前記撮像装置によって撮像可能な画像の枚数を示すデータを検出する検出手段とを有し、
前記撮像装置によって、前記第１の処理と異なる第２の処理が行われる場合に、前記制御手段は、前記電池から前記撮像装置に供給される電流の検出を停止するように前記電池を制御することを特徴とする撮像装置。
【請求項２】
前記第２の処理は、前記撮像装置と、ＵＳＢ（Ｕｎｉｖｅｒｓａｌ  Ｓｅｒｉａｌ  Ｂｕｓ）に対応する装置とが接続される場合に行われる処理を含むことを特徴とする請求項１に記載の撮像装置。
【請求項３】
前記第２の処理は、再生するための処理を含むことを特徴とする請求項１または２に記載の撮像装置。
【請求項４】
前記撮像装置によって、前記第１の処理が行われる場合に、前記第１の処理にバルブ撮影を行うための処理が含まれているとき、前記制御手段は、前記電池から前記撮像装置に供給される電流の検出を停止するように前記電池を制御することを特徴とする請求項１から３のいずれか１項に記載の撮像装置。
【請求項５】
前記第２の処理は、オートプレイを行うための処理を含むことを特徴とする請求項１から４のいずれか１項に記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は、撮像装置に関する。
【手続補正４】
【補正対象書類名】明細書
【補正対象項目名】００１０
【補正方法】変更
【補正の内容】
【００１０】
本発明は、撮像可能な画像の枚数を高精度に検出することができるようにすることを目的とする。
【手続補正５】
【補正対象書類名】明細書
【補正対象項目名】００１１
【補正方法】変更
【補正の内容】
【００１１】
本発明に係る撮像装置は、被写体像から画像を撮像するための第１の処理を行う撮像装置であって、前記撮像装置によって、前記第１の処理が行われる場合に、前記撮像装置に着脱可能な電池から前記撮像装置に供給される電流を検出するように前記電池を制御する制御手段と、前記電池によって検出された前記電池から前記撮像装置に供給される電流を示す電流データを前記電池から取得する電流取得手段と、前記電池の残量を示す残量データを取得する残量取得手段と、前記電流取得手段によって取得された電流データと、前記撮像装置によって、撮像された画像の枚数を示す枚数データと、前記残量取得手段によって取得された残量データとに基づいて、前記撮像装置によって撮像可能な画像の枚数を示すデータを検出する検出手段とを有し、前記撮像装置によって、前記第１の処理と異なる第２の処理が行われる場合に、前記制御手段は、前記電池から前記撮像装置に供給される電流の検出を停止するように前記電池を制御することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１８
【補正方法】変更
【補正の内容】
【００１８】
本発明によれば、撮像可能な画像の枚数を高精度に検出することができる。
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
第１導電型の第１半導体層と、
前記第１導電型とは逆の第２導電型の第２半導体層と、
前記第１半導体層と前記第２半導体層との間に、各々に接触した状態で設けられ、真性半導体となるような不純物濃度に設定された、前記第１導電型の第３半導体層とを含むダイオードを有し、
前記第３半導体層のダイオード形成部は、前記第１半導体層上に形成されており、
前記第２半導体層は、前記第３半導体層のダイオード形成部の主面から所望の深さに渡って形成されており、
前記第３半導体層の主面内において、前記第２半導体層の外周は、前記第３半導体層のダイオード形成部の外周から内側に離れた位置で終端するように形成され、
前記第３半導体層のダイオード形成部の外周は、前記第１半導体層の外周から内側に離れた位置で終端するように形成されていることを特徴とする半導体装置。
【請求項２】
請求項１記載の半導体装置において、
前記第１半導体層の外周部に、前記第３半導体層と同層の半導体層が形成されていないことを特徴とする半導体装置。
【請求項３】
第１導電型の第１半導体層と、
前記第１導電型とは逆の第２導電型の第２半導体層と、
前記第１半導体層と前記第２半導体層との間に、各々に接触した状態で設けられ、真性半導体となるような不純物濃度に設定された、前記第１導電型の第３半導体層とを含むダイオードを有し、
前記第２半導体層は、前記第３半導体層のダイオード形成部の主面から所望の深さに渡って形成されており、
前記第３半導体層の主面内において、前記第２半導体層の外周は、前記第３半導体層のダイオード形成部の外周から内側に離れた位置で終端するように形成され、
前記第３半導体層のダイオード形成部は、前記第３半導体層のダイオード形成部に沿って、前記第３半導体層の主面から前記第１半導体層に達する溝が形成されることで設けられており、
前記第３半導体層のダイオード形成部の外周は、前記第１半導体層の外周から内側に離れた位置で終端するように形成されていることを特徴とする半導体装置。
【請求項４】
請求項１〜３のいずれか１項に記載の半導体装置において、
前記第３半導体層の不純物濃度は、前記第１半導体層の不純物濃度よりも低いことを特徴とする半導体装置。
【請求項５】
請求項１〜４のいずれか１項に記載の半導体装置において、
前記第３半導体層のダイオード形成部の側面は、保護膜によって覆われていることを特徴とする半導体装置。
【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
共鳴光による量子干渉効果を利用した原子発振器の光学系であって、
ガス状の金属原子が封入されたガスセルと、
前記ガスセルに対して前記共鳴光を出射する光源と、
前記ガスセルを通過した光を折り返し光として再び該ガスセルに導く導光手段と、
前記導光手段により導かれ前記ガスセルを通過した前記折り返し光を検出する光検出手段と、
前記ガスセルの共鳴光通過方向の少なくとも一側方に配置され該ガスセルを所定の温度に加熱する加熱手段と、
該加熱手段の少なくとも一部に設けられた透光部と、
を備え、
前記光源から出射した光の光軸と前記折り返し光の光軸とが平行となるように構成したことを特徴とする原子発振器の光学系。
【請求項２】
前記透光部は、透明導電膜により構成されていることを特徴とする請求項１に記載の原子発振器の光学系。
【請求項３】
前記透光部は、前記加熱手段に設けた開口部又は透明部により構成されていることを特徴とする請求項１に記載の原子発振器の光学系。
【請求項４】
前記光検出手段と前記光源とを前記ガスセルに対して同一側に併置したことを特徴とする請求項１に記載の原子発振器の光学系。
【請求項５】
前記ガスセル、前記加熱手段、及び前記導光手段を個別のモジュールとして構成し、各モジュールを順次積層して配置したことを特徴とする請求項１乃至４の何れか一項に記載の原子発振器の光学系。
【請求項６】
前記加熱手段のモジュールと前記ガスセルのモジュールの組み合わせを基本単位とし、該基本単位を順次積層する構成としたことを特徴とする請求項５に記載の原子発振器の光学系。
【請求項７】
前記導光手段は、反射部材により構成されていることを特徴とする請求項１乃至６の何れか一項に記載の原子発振器の光学系。
【請求項８】
前記共鳴光は、レーザ光であることを特徴とする請求項１に記載の原子発振器の光学系。
【請求項９】
前記ガス状の金属原子は、ルビジウム、又はセシウムであることを特徴とする請求項１に記載の原子発振器の光学系。
【請求項１０】
前記光源から発光された光を集光し、且つ平行光に補正する受動光学素子を前記光源と前記ガスセルとの間に配置したことを特徴とする請求項１乃至９の何れか一項に記載の原子発振器の光学系。
【請求項１１】
請求項１乃至１０の何れか一項に記載の光学系を備えたことを特徴とする原子発振器。